(57)【特許請求の範囲】
【請求項１】
カタログ内で一定のまとまりをもって掲載される商品群を商品小組とし、複数の商品小組について、カタログ内での掲載スペースおよび掲載順序に関する情報を、カタログのページ番号と対応させて記憶した割振情報データベースに対して、このデータベースの内容を編集する掲載スペース割振り装置であって、
ディスプレイ画面上で指定されたページにおける商品小組の掲載スペースの割振りを表示する割振表示部と、当該ページにおける各商品小組の掲載スペースの値および商品小組全体の中での掲載順序を表示する詳細表示部と、を併せてディスプレイ画面に表示する表示手段と、
詳細表示部における掲載スペースの値が変更されたとき、割振表示部における割振表示を変更後の内容に切り替える表示切替手段と、
変更後の掲載スペースに関する情報を上記データベースに更新登録する登録手段と、を備えたことを特徴とする、掲載スペース割振り装置。
【請求項２】
カタログ内で一定のまとまりをもって掲載される商品群を商品小組とし、複数の商品小組について、カタログ内での掲載スペースおよび掲載順序に関する情報を、カタログのページ番号と対応させて記憶した割振情報データベースに対して、このデータベースの内容を編集する掲載スペース割振り装置であって、
ディスプレイ画面上で指定されたページにおける商品小組の掲載スペースの割振りを表示する割振表示部と、当該ページにおける各商品小組の掲載スペースの値および商品小組全体の中での掲載順序を表示する詳細表示部と、を併せてディスプレイ画面に表示する表示手段と、
詳細表示部における掲載順序が変更されたとき、割振表示部における割振表示を変更後の内容に切り替える表示切替手段と、
変更後の掲載順序を上記データベースに更新登録する登録手段と、を備えたことを特徴とする、掲載スペース割振り装置。
【請求項３】
カタログ内で一定のまとまりをもって掲載される商品群を商品小組とし、複数の商品小組について、カタログ内での掲載スペースおよび掲載順序に関する情報を、カタログのページ番号と対応させて記憶した割振情報データベースに対して、このデータベースの内容を編集する掲載スペース割振り装置であって、
ディスプレイ画面上で指定されたページにおける商品小組の掲載スペースの割振りを表示する割振表示部と、当該ページにおける各商品小組の掲載スペースの値および商品小組全体の中での掲載順序を表示する詳細表示部と、を併せてディスプレイ画面に表示する表示手段と、
詳細表示部において特定の２つの商品小組の間での改頁処理が指定された場合に、割振表示部における割振表示を変更後の内容に切り替える表示切替手段と、
上記改頁に関する情報を含めた変更後の掲載順序を上記データベースに更新登録する登録手段と、を備えたことを特徴とする、掲載スペース割振り装置。
【請求項４】
上記表示手段は、指定されたページの前後各１ページに含まれる商品小組に関して、当該ページにおける各商品小組の掲載スペースの値および商品小組全体の中での掲載順序をそれぞれ表示する前頁表示部および後頁表示部を上記ディスプレイ画面に併せて表示することを特徴とする、請求項１〜３のいずれか１つに記載の掲載スペース割振り装置。
【請求項５】
上記割振表示部による表示内容を所定の複数ページに渡ってディスプレイ画面に一覧表示するとともに、一覧表示されるページ範囲を前後にスライドさせるページめくりボタンを同ディスプレイ画面に併せて表示する、プレビュー画面表示手段をさらに備えたことを特徴とする、請求項１〜４のいずれか１つに記載の掲載スペース割振り装置。
【請求項６】
カタログ内で一定のまとまりをもって掲載される商品群を商品小組とし、複数の商品小組について、カタログ内での掲載スペースおよび掲載順序に関する情報を、カタログのページ番号と対応させて記憶した割振情報データベースに対して、このデータベースの内容を編集する掲載スペース割振りプログラムであって、
ディスプレイ画面上で指定されたページにおける商品小組の掲載スペースの割振りを表示する割振表示部と、当該ページにおける各商品小組の掲載スペースの値および商品小組全体の中での掲載順序を表示する詳細表示部と、を併せてディスプレイ画面に表示する表示手順と、
詳細表示部における掲載スペースの値が変更されたとき、割振表示部における割振表示を変更後の内容に切り替える表示切替手順と、
変更後の掲載スペースに関する情報を上記データベースに更新登録する登録手順と、をコンピュータに実行させるためのプログラム。
【請求項７】
カタログ内で一定のまとまりをもって掲載される商品群を商品小組とし、複数の商品小組について、カタログ内での掲載スペースおよび掲載順序に関する情報を、カタログのページ番号と対応させて記憶した割振情報データベースに対して、このデータベースの内容を編集する掲載スペース割振りプログラムであって、
ディスプレイ画面上で指定されたページにおける商品小組の掲載スペースの割振りを表示する割振表示部と、当該ページにおける各商品小組の掲載スペースの値および商品小組全体の中での掲載順序を表示する詳細表示部と、を併せてディスプレイ画面に表示する表示手順と、
詳細表示部における掲載順序が変更されたとき、割振表示部における割振表示を変更後の内容に切り替える表示切替手順と、
変更後の掲載順序を上記データベースに更新登録する登録手順と、をコンピュータに実行させるためのプログラム。
【請求項８】
カタログ内で一定のまとまりをもって掲載される商品群を商品小組とし、複数の商品小組について、カタログ内での掲載スペースおよび掲載順序に関する情報を、カタログのページ番号と対応させて記憶した割振情報データベースに対して、このデータベースの内容を編集する掲載スペース割振りプログラムであって、
ディスプレイ画面上で指定されたページにおける商品小組の掲載スペースの割振りを表示する割振表示部と、当該ページにおける各商品小組の掲載スペースの値および商品小組全体の中での掲載順序を表示する詳細表示部と、を併せてディスプレイ画面に表示する表示手順と、
詳細表示部において特定の２つの商品小組の間での改頁処理が指定された場合に、割振表示部における割振表示を変更後の内容に切り替える表示切替手順と、
上記改頁に関する情報を含めた変更後の掲載順序を上記データベースに更新登録する登録手順と、をコンピュータに実行させるためのプログラム。
【請求項９】
上記表示手順においては、指定されたページの前後各１ページに含まれる商品小組に関して、当該ページにおける各商品小組の掲載スペースの値および商品小組全体の中での掲載順序をそれぞれ表示する前頁表示部および後頁表示部を上記ディスプレイ画面に併せて表示する、請求項６〜８のいずれか１つに記載のプログラム。
【請求項１０】
上記コンピュータに、
割振表示部による表示内容を所定の複数ページに渡ってディスプレイ画面に一覧表示するとともに、一覧表示されるページ範囲を前後にスライドさせるページめくりボタンを同ディスプレイ画面に併せて表示するプレビュー画面表示手順、をさらに実行させる、請求項６〜９のいずれか１つに記載のプログラム。
【請求項１１】
請求項６〜10のいずれか１つに記載のプログラムを記録したコンピュータ読取り可能な記録媒体。
【発明の詳細な説明】
【発明の属する技術分野】
【０００１】
本発明は、商品データの掲載スペース割振り装置に関する。
【０００２】
【従来の技術および発明が解決しようとする課題】
例えば商品カタログをデスクトップパブリッシングで製作する場合、データベースに蓄積された多種多様の商品データを、実際のカタログ紙面上においてどのようなスペース配分に割り振るかを決定する必要がある。
【０００３】
この場合、カタログ冊子のある１つのページにおけるスペース割振りが変更されると、後続するページにおけるスペース割振りに影響が出る。このような理由で、スペース配分の割振りを決定する作業は、一般に煩雑となる。本発明の目的は、カタログ内での商品データのスペース配分の割振りを効率的に行なうことができるようにすることである。
【０００４】
【課題を解決するための手段・作用・効果】
本発明は、上記事情に鑑みて創案されたものであって、以下の特徴を備えた掲載スペース割振り装置を提供するものである。なお、本発明における「商品小組」とは、カタログ内で一定のまとまりをもって掲載される商品群を意味する。また、本発明における「カタログ」とは、製本されたカタログ冊子に限らず、パンフレットやチラシ等の商品に関する情報を含むすべてのものが含まれ、また、コンピュータディスプレイに表示されるウエブページその他の製本されていないデータをも含む概念である。
【０００５】
本発明の掲載スペース割振り装置は、複数の商品小組について、カタログ内での掲載スペースおよび掲載順序に関する情報を、カタログのページ番号と対応させて記憶した割振情報データベースに対して、このデータベースの内容を操作（すなわち編集）するものである。そして、「ディスプレイ画面上で指定されたページにおける商品小組の掲載スペースの割振りを表示する割振表示部と、当該ページにおける各商品小組の掲載スペースの値および商品小組全体の中での掲載順序を表示する詳細表示部と、を併せてディスプレイ画面に表示する表示手段」と「詳細表示部における掲載スペースの値が変更されたとき、割振表示部における割振表示を変更後の内容に切り替える表示切替手段」と「変更後の掲載スペースに関する情報を上記データベースに更新登録する登録手段」とを備えたことを特徴としている。
【０００６】
上記表示切替手段は、「詳細表示部における掲載順序が変更されたとき、割振表示部における割振表示を変更後の内容に切り替える」ものであってもよく、その場合、上記登録手段は、「変更後の掲載順序」を上記データベースに更新登録する。また、上記表示切替手段は、「詳細表示部において特定の２つの商品小組の間での改頁処理が指定された場合に、割振表示部における割振表示を変更後の内容に切り替える」ものであってもよく、その場合、上記登録手段は、「改頁に関する情報を含めた変更後の掲載順序」を上記データベースに更新登録する。
【０００７】
上記構成を備えた本発明の掲載スペース割振り装置によれば、表示手段の割振表示部において、実際のカタログ内での各商品小組のスペース割振りを確認しながら、編集作業を行なうことができるので、掲載スペースの割振り作業を効率良く行うことができる。
【０００８】
本発明の掲載スペース割振り装置においては、上記表示手段は、「指定されたページの前後各１ページに含まれる商品小組に関して、当該ページにおける各商品小組の掲載スペースの値および商品小組全体の中での掲載順序をそれぞれ表示する前頁表示部および後頁表示部を上記ディスプレイ画面に併せて表示するもの」であることが好ましい。かかる構成を採用した場合には、実際に編集を行なっているページの前後のページにおける商品情報を確認しながら、編集作業を行なえるので、編集能率を高めることができる。
【０００９】
本発明の掲載スペース割振り装置は、「上記割振表示部による表示内容を所定の複数ページに渡ってディスプレイ画面に一覧表示するとともに、一覧表示されるページ範囲を前後にスライドさせるページめくりボタンを同ディスプレイ画面に併せて表示する、プレビュー画面表示手段」をさらに備えていることが好ましい。かかる構成を採用した場合には、カタログ内の全ページに渡る編集結果を比較的容易に確認できるので、編集効率を高めることができる。
【００１０】
また、本発明により、コンピュータを上述したいずれかの掲載スペース割振り装置として機能させるためのプログラム、およびそのようなプログラムを記録したコンピュータ読取り可能な記録媒体が提供される。
【００１１】
【発明の実施の形態】
本発明の実施形態を添付の図面を参照して以下に詳細に説明する。以下の実施形態では、製本されたカタログ冊子の作成に対して、本発明の掲載スペース割振り装置を適用する場合を説明する。しかし、本発明の装置は、そのようなカタログ冊子に限らず、パンフレットやチラシ等の商品に関する情報を含む印刷媒体や、コンピュータディスプレイに表示されるウエブページその他の製本されていない商品データにおけるスペース割振りにも適用可能である。
【００１２】
カタログ冊子と商品小組
図１は、最終製品であるカタログ冊子の概略図である。このカタログ冊子では、所定の商品群を１つの商品小組１としてグループ化している。ここでは、簡単のため２つのデシケータを１つの商品小組として示している。
【００１３】
図１では、１つのページに掲載された３つの商品小組１ａ〜１ｃのみを図示しているが、実際には、他のページにおいても、その大きさに応じて１または複数の商品小組が掲載される。カタログ紙面上における各商品小組の大きさ(掲載スペースの大きさ)は、当該商品小組に属する商品の数、商品説明の態様、販売促進の必要性の大小、その他の要素によって変わってくる。
【００１４】
本発明においては、複数の商品小組のそれぞれに対して、カタログ紙面上での仮の掲載スペースを予め設定しておき、その後のＤＴＰ作業進行におけるデータ内容の変更等に応じて、掲載スペースの大きさが適宜変更される。以上のようにして確保された指示データ(カタログ内での掲載スペースおよび掲載順序に関する情報)がＤＴＰ部門に渡され、商品小組データベースに別途入力された商品小組データと組み合わせることで、最終的なカタログ冊子作成用の編集データが作成される。
【００１５】
ブロック図
図２は、本発明の一実施形態であるコンピュータシステムを示すブロック図である。コンピュータは、ＣＰＵを備えており、図３以後で説明するカタログメーカーの機能を実現するためのプログラムがプログラムデータベース11内に記録されている。プログラムは、ＣＤ−ＲＯＭその他の記録媒体11’に格納した状態で提供されてもよい。商品小組データベース12は、カタログ紙面上に掲載される商品データを商品小組ごとに記憶している。また、割振情報データベース13は、各商品小組のカタログ紙面上での掲載スペースの割振りに関する情報を記憶している。オペレータは、ディスプレイ17を見ながら、キーボードおよびマウス等の操作部18を操作して、掲載スペースの割振り等の処理を行なう。ディスプレイ17に表示される各種入力画面は、入力フォームデータベース14内に格納されている。
【００１６】
カタログメーカーのメニュー画面
図３は、カタログ作成支援ソフトであるカタログメーカーのメニュー画面20を示している。商品小組データベース12への商品データの入力は、「INPUT FORM」ボタン21をクリックすると表示される不図示の入力フォーム等を介して、商品小組ごとに行なう。商品小組データベース12に蓄積された各商品小組ごとのデータに対して、実際のカタログ紙面上における掲載スペースの割振りが本発明に従って行なわれる。スペース割振りを行なうには、図３のメニュー画面中の「THUMBNAIL SYSTEM」ボタン22をクリックする。図４は、それ以後の処理を概略的に示すフローチャートである。
【００１７】
フローチャートおよび画面の説明
「THUMBNAIL SYSTEM」ボタン22をクリックすると、図５に示す画面が表示される。オペレータがカタログ名、号数、分類キーを入力すると、掲載スペース割振りの対象となる商品小組群を抽出する(♯１)。図５の例では、「汎用機器・計測機器という大分類」中における「デシケータ類という中分類」に属する複数の商品小組が抽出される。割振情報データベース13(図２)内では、商品小組データベース12への商品データの入力が行なわれた順に、各商品小組についての割振情報が予め記憶されている。このとき掲載スペースのサイズは１/３(ページ)に一律に統一している。このサイズは一応のものであって、後述するように、本発明に従って事後的に適宜変更できる。割振情報データベース13内では、商品小組ごとの割振りデータがカタログ名、号数、分類キー等を含めて記憶されているので、適当な検索条件を設定することで商品小組群を抽出できる。
【００１８】
図５の画面30において、上部側の入力部31に所定の検索条件を入力すると、その条件に該当する商品小組群が下方側の表示部32にリストアップされる。表示部32にリストアップされた品名のそれぞれが、その分類の中の１つの商品小組に対応している。
【００１９】
次に、オペレータは、抽出された商品小組群のカタログ紙面上における掲載順序を仮決定する。ここで決定される掲載順序は仮のものであって、後に説明するように、掲載順序の変更が可能である。図５中の表示部32内にリストアップされた各商品小組に対して１つづつ設けられた順序入力部33に仮の順番を入力する。オペレータにより「この順番」ボタン34がクリックされると、入力された順番通りに商品小組を表示部32上で並び替える(♯２)。
【００２０】
なお、順序入力部33への順番入力に際しては、小数点を含む数字を入力することが可能である。これにより次のようなメリットがある。例えば、５番、６番と指定された２つの商品小組の間に別の商品小組を割り込ませたい場合には、その割り込ませたい商品小組に係る順序入力部33に「5.5」を入力することで、簡単に割り込みを実現できる。
【００２１】
仮の掲載順序が決定されると、図５の画面30中の「変更履歴画面へ」ボタン35をクリックする。次に表示される不図示の変更履歴画面を経て、サムネイルシステムのメニュー画面40が表示される(図６)。画面右側の表示部41では、図５の画面において仮決定された掲載順序に従って、商品名が一覧表示されている(１つの商品名が１つの商品小組に対応している)。
【００２２】
既に説明したように、割振情報データベース13内では、すべての商品小組に対して、カタログ紙面上における掲載スペースの仮サイズとして「１/３(ページ)」が予め設定されている。したがって、図６においては、連続する３つの商品小組がカタログ冊子の１ページに収まることとなる。その状態は、プレービューボタン44をクリックすると表示されるプレビュー画面(図13)で確認できる。
【００２３】
次に、オペレータは、特定のページを指定して、「掲載スペースのサイズ変更」「改頁処理」「掲載順序の変更」の編集処理を行なう。メニュー画面(図６)中のページ指定ボタン42が、特定のページを指定した上でクリックされると、ページ詳細画面50(図７〜11)を表示する(♯３：表示手段)。ページ詳細画面50では、画面左上の割振表示部51には当該ページにおける商品小組のスペース割振りがビジュアルに表示され、その下方に位置する詳細表示部51ａに各商品小組の内容が示される。割振表示部51では、割り振られた区画内に、対応する商品小組を示すサムネイル画像を併せて表示してもよい。この詳細画面50において、以下に説明するように、「掲載スペースのサイズ変更」「改頁処理」「掲載順序の変更」を行なうことができる。
【００２４】
（１）掲載スペースのサイズ変更
図７は、第５ページが指定された場合のページ詳細画面である。図７における掲載スペースの割振りは、図１中のスペース割振りに対応している。スペースサイズ入力部51ｂに希望する掲載スペースの大きさを入力することで、掲載スペースを変更できる。選択できる掲載スペースは、１/１、１/２、１/３、２/３、１/４、１/６等の定型サイズを予め設定しておいて、その中から選択するのが好ましい。オペレータにより掲載スペースのサイズを入力した後で「再計算」ボタン55をクリックされる(♯４)と、割振表示部51における表示を変更するための演算を行い、割振表示部51の表示を変更する(♯14：表示切替手段)。
【００２５】
第５ページには、先頭から数えて８〜10番目の商品小組が割り当てられており、それぞれの掲載スペースのサイズが１/２、１/４、１/４に変更されている。図７はサイズ変更後における割振表示部51の表示を示しているが、前述のように１/３(ページ)の掲載スペースが初期設定されているので、変更前は、全ての商品小組が１/３の掲載スペースとなっている。
【００２６】
図７のページ詳細画面では、指定された第５ページに関する情報を表示するとともに、その前後のページに関する情報を併せて表示し、編集効率を高める工夫をしている。すなわち、画面右上の前頁表示部52は、１つ前のページである第４ページに含まれる商品小組の内容を示している。その下方の後頁表示部53は、１つ後のページである第６ページに含まれる商品小組の内容を示している。「PRE」ボタン52ａをクリックすると、詳細画面での表示が１つ前のページにスライドし、「NEXT」ボタン53ａをクリックすると、詳細画面での表示が１つ後のページにスライドする。
【００２７】
フリーサイズの説明
上述のように、選択できる掲載スペースのサイズは予め設定されたものに限られる。しかし、それ以外のサイズで商品小組を掲載したい場合も想定される。このような場合に対応するため、フリーサイズを設定しておく。これを図８を参照して説明する。定型外のスペースサイズで商品小組を掲載したい場合には、スペースサイズ入力部51ｂに「Free」と入力しておく。そして、割振情報データベース13においては、連続するフリーサイズを１つのページに対応させて記憶させる。後のＤＴＰ作業において、当該連続する複数の商品小組が１つのページに収まるように、商品データのカタログ紙面上でのレイアウトを調整する。図８の例では、47〜51番目の５つの商品小組が第20ページに含まれることとなるが、これら各商品小組の掲載スペースは、全体として第20ページの１頁に収まるように、後のＤＴＰ作業で調節される。なお、このような商品小組を複数のページに渡って掲載したい場合は、後述する改頁機能を利用して、１つのページに収まる商品小組の数を調整することができる。
【００２８】
（２）改頁処理
商品小組の区切り等の関係で改頁処理を行う場合の手順を以下に説明する。図９の詳細画面において、12番の商品小組「マックドライＡ」と13番の商品小組「マックドライＢ」とを別ページに掲載したい場合、オペレータは、詳細画面中の「改頁挿入」ボタン61をクリックした後、仮順番の入力部63に「12.5」を挿入する。そして、「再計算」ボタン55がクリックされる(♯５)と、割振表示部51における表示を変更するための演算を行い、割振表示部51の表示を図10のように変更する(♯15：表示切替手段)。これにより、第６ページには11番目の商品小組「ドライ・キャビ」と12番目の商品小組「マックドライＡ」のみが掲載されることが分かる。また、図10中の後頁表示部53を見ると、改頁処理前(図９)には第６ページに含まれていた商品小組「マックドライＢ」が第７ページに移動したことが分かる。改頁処理をキャンセルしたい場合には、「改頁解除」ボタン62をクリックすると、改頁処理前の状態に戻る。
【００２９】
（３）掲載順序の変更
次に商品小組の掲載順序の変更処理を説明する。図11においては、11番目の商品小組「ドライ・キャビ」と12番目の商品小組「マックドライＡ」との順番を入れ替えるために、詳細表示部51ａ中の仮順番の入力部63の「11」と「12」を入れ替えている。この状態で、オペレータにより「再計算」ボタン55がクリックされる(♯６)と、割振表示部51における表示を変更するための演算を行い、割振表示部51の表示を変更する(♯16：表示切替手段)。なお、図11では、入れ替わる前の表示状態を示している。また、詳細画面には、指定されているページの前後のページも併せて表示されているので、これを見ながら、複数ページに渡る順序の入れ替えも可能である。
【００３０】
一覧画面からの掲載順序変更
図11の詳細画面では、指定ページおよびその前後ページの合計３ページが１つの画面に表示されるに過ぎない。これに対して、図12の一覧表示画面60では、４ページ以上に渡って商品小組が一覧表示されるので、さらに大幅な順序変更を行う場合に都合が良い。一覧表示画面60においては、スクロールバー68を操作することで、すべてのページに関する商品小組情報をスクロールできる。この一覧表示画面60は、詳細画面中の「リスト」ボタン58ｃまたは図６のメニュー画面上に設けた「リスト」ボタン43をクリックすることで表示される。
【００３１】
以上に説明した「掲載スペースのサイズ変更」「改頁処理」「掲載順序の変更」の各編集処理は、どのような順序で行なってもよく、また、必ずしも全ての処理を行う必要はない。編集処理が終了し、オペレータにより詳細画面中の「プレビュー」ボタン58ｂがクリックされる(♯７)と、プレビュー画面(図13)をディスプレイに表示する(♯17：プレビュー画面表示手段)。図13のプレビュー画面では、連続する８ページにおける商品小組のスペース割振りが一覧表示されている。「ページめくり」ボタン71をクリックすることで、すべてのページにおける商品小組の割振りを確認できる。
【００３２】
プビュー画面での確認、および再度の編集を繰り返して、編集作業が完了すると、オペレータは、詳細画面あるいはメニュー画面の「決定して完了」ボタン56、46をクリックする。これを受けて、修正結果を割振情報データベース13に更新登録する(♯８→９：登録手段)。ディスプレイに表示された画面は自動的に、図３のカタログメーカーのメニュー画面に戻る。一方、詳細画面あるいはメニュー画面の「変更せずに戻る」ボタン57、47をクリックすると、それまでの更新結果を破棄して、図３のカタログメーカーのメニュー画面に戻る(♯８→♯１)。
【図面の簡単な説明】
【図１】  カタログ冊子および商品小組を説明する概略図である。
【図２】  本発明の一実施形態に係る掲載スペース割振り装置を説明するブロック図である。
【図３】  カタログ作成支援ソフトであるカタログメーカーのメニュー画面を説明する図である。
【図４】  図２の掲載スペース割振り装置による処理工程を概略的に説明するフローチャートである。
【図５】  掲載スペース割振りの対象となる商品小組の抽出を行なう画面を説明する図である。
【図６】  サムネイルシステムのメニュー画面を説明する図である。
【図７】  掲載スペース割振りを行なう詳細画面を説明する図である。
【図８】  掲載スペース割振りを行なう詳細画面を説明する図である。
【図９】  掲載スペース割振りを行なう詳細画面を説明する図である。
【図１０】  掲載スペース割振りを行なう詳細画面を説明する図である。
【図１１】  掲載スペース割振りを行なう詳細画面を説明する図である。
【図１２】  掲載スペース割振りを行なう一覧画面を説明する図である。
【図１３】  プレビュー画面を説明する図である。
【符号の説明】
１  商品小組
20  カタログメーカーのメニュー画面
30  掲載スペース割振りの対象となる商品小組の抽出を行なう画面
40  サムネイルシステムのメニュー画面
50  掲載スペース割振りを行なう詳細画面
60  掲載スペース割振りを行なう一覧画面
70  プレビュー画面
【図１】
0003987299.tif 000002
【図２】
0003987299.tif 000003
【図３】
0003987299.tif 000004
【図４】
0003987299.tif 000005
【図５】
0003987299.tif 000006
【図６】
0003987299.tif 000007
【図７】
0003987299.tif 000008
【図８】
0003987299.tif 000009
【図９】
0003987299.tif 000010
【図１０】
0003987299.tif 000011
【図１１】
0003987299.tif 000012
【図１２】
0003987299.tif 000013
【図１３】
0003987299.tif 000014